(57)【特許請求の範囲】
【請求項１】
緑化擁壁の施工方法において、
植栽孔を有するコンクリート擁壁を構築する工程と、
前記コンクリート擁壁の植栽孔に沿って緑化植物を盛土側から外向きに挿入し、盛土側において前記緑化植物の根部を形成する植生土をネット状又は袋状の不織布で仮支持させ、その後、フェルト材で前記不織布を覆って前記根部をコンクリート擁壁へ定着させる植栽工程と、
前記植栽工程を終了した高さまで盛土を進める工程とから成ることを特徴とする、緑化擁壁の施工方法。
【請求項２】
コンクリート擁壁の構築は、植栽孔を有するプレキャスト壁面材を擁壁位置に沿って積み重ねて構築する工程によることを特徴とする、請求項１に記載した緑化擁壁の施工方法。
【請求項３】
コンクリート擁壁の構築は、植栽孔を有するプレキャスト壁面材と、植栽孔の無いプレキャスト壁面材とを擁壁位置に沿って組み合わせ積み重ねて構築する工程によることを特徴とする、請求項１に記載した緑化擁壁の施工方法。
【請求項４】
コンクリート擁壁の構築は、壁面に植栽孔を有するプレキャスト擁壁を擁壁位置に沿って設置して構築する工程によることを特徴とする、請求項１に記載した緑化擁壁の施工方法。
【請求項５】
植栽孔を有するコンクリート擁壁の構築は、擁壁位置に沿って場所打ちコンクリートを打設して構築する工程によることを特徴とする、請求項１に記載した緑化擁壁の施工方法。
【請求項６】
緑化擁壁の施工方法において、
植栽孔を有するプレキャスト壁面材の前記植栽孔へ緑化植物を盛土側から外向きに挿入し、盛土側において前記緑化植物の根部を形成する植生土をネット状又は袋状の不織布で仮支持させ、その後、フェルト材で前記不織布を覆って前記根部をプレキャスト壁面材へ定着させる植栽工程と、
前記緑化植物を植栽し定着したプレキャスト壁面材を擁壁位置に沿って積み重ねてコンクリート擁壁の構築を進める工程と、
積み重ねたプレキャスト壁面材の上端高さを目安に盛土を進める工程とから成ることを特徴とする、緑化擁壁の施工方法。
【請求項７】
コンクリート擁壁の植栽孔は、擁壁表面から盛土側へ向かい斜め下方へ貫通させて設け、緑化植物は前記植栽孔に沿って盛土側から外向きに斜め上向きに挿入し、コンクリート擁壁の盛土側へ根部を定着させることを特徴とする、請求項１〜６のいずれか一に記載した緑化擁壁の施工方法。
【請求項８】
コンクリート擁壁の盛土側に、不織布を引っ掛けて取り付ける不織布用の巻線を設け、植生土を支持した不織布の上部を前記巻線へ引っ掛けて取り付けて根部の定着を行うことを特徴とする、請求項１〜７のいずれか一に記載した緑化擁壁の施工方法。
【請求項９】
コンクリート擁壁の植栽孔へ盛土側から外向きに緑化植物を挿入して植栽工程を行った後、又は同植栽工程を行う前に、コンクリート擁壁の盛土側に補強材を設置して、盛土を段階的に進めることを特徴とする、請求項１〜８のいずれか一に記載した緑化擁壁の施工方法。
【請求項１０】
植栽孔へ盛土側から外向きに緑化植物を挿入して植栽工程を行った後、コンクリート擁壁の盛土側へドレーン材を設置し、植生土へ土中水を誘導する構成として、盛土を段階的に進めることを特徴とする、請求項１〜９のいずれか一に記載した緑化擁壁の施工方法。
【請求項１１】
コンクリート擁壁の擁壁表面には、雨水を植栽孔へ誘導して植生土へ雨水を供給する導水溝が形成され、又は導水突起部が設けられていることを特徴とする、請求項１〜１０のいずれか一に記載した緑化擁壁の施工方法。
【発明の詳細な説明】
【技術分野】
【０００１】
この発明は、盛土を支持するコンクリート擁壁の植栽孔へ樹木や草花類等の緑化植物を挿入して植栽し、同緑化植物を育成していわゆる緑化擁壁を構築する技術分野に属し、更に云えば、緑化植物の根部をコンクリート擁壁の盛土側へ十分に確実に活着させることにより同緑化植物の育成に必要十分な条件を整えることができる緑化擁壁の施工方法の技術分野に属する。
【背景技術】
【０００２】
従来、盛土を支持するコンクリート擁壁へ樹木や草花類等の緑化植物を植栽して育成することにより、緑化による自然な景観を高める緑化擁壁が知られている。
従来、緑化擁壁の施工方法は、例えば下記特許文献１〜５に種々開示されており、既に実用に供されている。下記特許文献１〜５に開示された緑化擁壁の施工方法は、概して、複数の植栽孔を有するコンクリート擁壁を構築し、前記コンクリート擁壁の盛土側にコンクリート擁壁の高さ相当の位置まで盛土を行って盛土を完成させた後に、コンクリート擁壁の擁壁表面側から同コンクリート擁壁の各植栽孔へ緑化植物の根部を挿入して盛土に活着させる方法が通例である。
【先行技術文献】
【特許文献】
【０００３】
【特許文献１】特開平９−１２５４２２号公報
【特許文献２】特許第３８３６１０１号公報
【特許文献３】特開２００２−９７６５２号公報
【特許文献４】特開平６−１０８４８５号公報
【特許文献５】特開平９−１１１７６７号公報
【発明の概要】
【発明が解決しようとする課題】
【０００４】
上記特許文献１〜５に開示された緑化擁壁は、盛土を完成させた後に、コンクリート擁壁の擁壁表面側から各植栽孔へ緑化植物の根部を挿入して盛土へ活着させる構成なので、作業員は緑化植物の根部の植栽状況の適否をしっかりと確認することが難しい。その結果、緑化植物の根部を損傷させたり、屈曲させて同根部の活着が不十分ないし不適切で緑化植物の育成に支障を来たす問題の可能性が高かった。
また、緑化擁壁の高所に設けられた植栽孔へ緑化植物を植栽する場合は、作業員の作業足場を仮設する必要があり、その仮設作業に時間と手間が掛かり工期が長期化して工費が嵩む問題がある。
更に、コンクリート擁壁に使用する盛土は、安定上と構造上の観点から砂質系の良質な土質を使用するため、排水を促す構造となる。その結果、緑化植物の植生土には水分の十分な供給が困難で、緑化植物の育成に支障を来たす問題が生じる。
【０００５】
本発明の目的は、緑化植物の根部を植栽時点でしっかりと確認し適切に処理しながら植栽工程を進めることが可能で、前記根部は確実に１００％に近い割合で活着させることができ、同緑化植物の育成に必要十分な条件を整えて、緑化植物の育成による緑化に寄与することができ、更に植栽作業に必要な仮設足場の設置を省けて経済的に短工期に施工できる緑化擁壁の施工方法を提供する。
また、盛土中にドレーン材を設置して、土中水を植生土へ導く構造とし、更にコンクリート擁壁の擁壁表面に導水溝又は導水突起部を設けて、雨水を植栽孔へ導く構造とした緑化擁壁の施工方法を提供する。
【課題を解決するための手段】
【０００６】
上記背景技術の課題を解決するための手段として、請求項１に記載した発明に係る緑化擁壁の施工方法は、
緑化擁壁の施工方法において、
植栽孔を有するコンクリート擁壁を構築する工程と、
前記コンクリート擁壁の植栽孔に沿って緑化植物を盛土側から外向きに挿入し、盛土側において前記緑化植物の根部を形成する植生土をネット状又は袋状の不織布で仮支持させ、その後、フェルト材で前記不織布を覆って前記根部をコンクリート擁壁へ定着させる植栽工程と、
前記植栽工程を終了した高さまで盛土を進める工程とから成ることを特徴とする。
【０００７】
請求項２に記載した発明は、請求項１に記載した緑化擁壁の施工方法において、
コンクリート擁壁の構築は、植栽孔を有するプレキャスト壁面材を擁壁位置に沿って積み重ねて構築する工程によることを特徴とする。
【０００８】
請求項３に記載した発明は、請求項１に記載した緑化擁壁の施工方法において、
コンクリート擁壁の構築は、植栽孔を有するプレキャスト壁面材と、植栽孔の無いプレキャスト壁面材とを擁壁位置に沿って組み合わせ積み重ねて構築する工程によることを特徴とする。
【０００９】
請求項４に記載した発明は、請求項１に記載した緑化擁壁の施工方法において、
コンクリート擁壁の構築は、壁面に植栽孔を有するプレキャスト擁壁を擁壁位置に沿って設置して構築する工程によることを特徴とする。
【００１０】
請求項５に記載した発明は、請求項１に記載した緑化擁壁の施工方法において、
植栽孔を有するコンクリート擁壁の構築は、擁壁位置に沿って場所打ちコンクリートを打設して構築する工程によることを特徴とする。
【００１１】
請求項６に記載した発明に係る緑化擁壁の施工方法は、
緑化擁壁の施工方法において、
植栽孔を有するプレキャスト壁面材の前記植栽孔へ緑化植物を盛土側から外向きに挿入し、盛土側において前記緑化植物の根部を形成する植生土をネット状又は袋状の不織布で仮支持させ、その後、フェルト材で前記不織布を覆って前記根部をプレキャスト壁面材へ定着させる植栽工程と、
前記緑化植物を植栽し定着したプレキャスト壁面材を擁壁位置に沿って積み重ねてコンクリート擁壁の構築を進める工程と、
積み重ねたプレキャスト壁面材の上端高さを目安に盛土を進める工程とから成ることを特徴とする。
【００１２】
請求項７に記載した発明は、請求項１〜６のいずれか一に記載した緑化擁壁の施工方法において、
コンクリート擁壁の植栽孔は、擁壁表面から盛土側へ向かい斜め下方へ貫通させて設け、緑化植物は前記植栽孔に沿って盛土側から外向きに斜め上向きに挿入し、コンクリート擁壁の盛土側へ根部を定着させることを特徴とする。
【００１４】
請求項８に記載した発明は、請求項１〜７のいずれか一に記載した緑化擁壁の施工方法において、
コンクリート擁壁の盛土側に、不織布を引っ掛けて取り付ける不織布用の巻線を設け、植生土を支持した不織布の上部を前記巻線へ引っ掛けて取り付けて根部の定着を行うことを特徴とする。
【００１５】
請求項９に記載した発明は、請求項１〜８のいずれか一に記載した緑化擁壁の施工方法において、
コンクリート擁壁の植栽孔へ盛土側から外向きに緑化植物を挿入して植栽工程を行った後、又は同植栽工程を行う前に、コンクリート擁壁の盛土側に補強材を設置して、盛土を段階的に進めることを特徴とする。
【００１６】
請求項１０に記載した発明は、請求項１〜９のいずれか一に記載した緑化擁壁の施工方法において、
植栽孔へ盛土側から外向きに緑化植物を挿入して植栽工程を行った後、コンクリート擁壁の盛土側へドレーン材を設置し、植生土へ土中水を誘導する構成として、盛土を段階的に進めることを特徴とする。
【００１７】
請求項１１に記載した発明は、請求項１〜１０のいずれか一に記載した緑化擁壁の施工方法において、
コンクリート擁壁の擁壁表面には、雨水を植栽孔へ誘導して植生土へ雨水を供給する導水溝が形成され、又は導水突起部が設けられていることを特徴とする。
【発明の効果】
【００１８】
本発明に係る緑化擁壁の施工方法は、コンクリート擁壁１０の盛土側Ｂから、盛土２する直前の工程として盛土レベルの植栽孔３１へ盛土側Ｂから外向きに緑化植物４を挿入してその根部を盛土側Ｂの前記コンクリート擁壁１０へ適切にしっかりと位置決めして定着させる植栽処理を行い、植栽工程を終了した植栽孔３１の高さを目安として盛土２を段階的に進める工程を繰り返して緑化擁壁１を構築するので、作業員は前記緑化植物４の根部をしっかりと確認しながら植栽工程を適正に確実に進めることができ、緑化植物４の根部を確実に活着させて同緑化植物４の育成に必要十分な条件を整えることができ、緑化植物４の育成を良好にすることができる。
しかも、コンクリート擁壁１０の高所における緑化植物４の植栽工程は、既設の盛土２の上面を足場代用として順次に行えるので、植栽作業に必要な作業用足場を用意する必要がなく、仮設足場を省けて、経済的に短工期に施工することができる。
また、盛土２中にドレーン材８を設置して、土中水を植生土４１へ導く構造とし、更にコンクリート擁壁１０の擁壁表面に導水溝３２、又は導水突起部３６を設けて、雨水３２ａを植栽孔３１へ導く構造としたので、緑化植物４の育成を良好にすることができる。
【図面の簡単な説明】
【００１９】
【図１】本発明に係る施工方法により構築した緑化擁壁を示した斜視図である。
【図２】コンクリート擁壁を構築する工程を示した説明図である。
【図３】（ａ）はプレキャスト壁面材単体を擁壁表面側から示した斜視図、（ｂ）は（ａ）のＢ−Ｂ線矢視断面図である。
【図４】（ａ）はプレキャスト壁面材の擁壁表面に矩形状の導水溝を形成した構成を示す断面図、（ｂ）はプレキャスト壁面材の擁壁表面に導水突起部を設けた構成を示す断面図である。
【図５】（ａ）〜（ｄ）は植栽工程の手順を示した説明図である。
【図６】緑化擁壁の施工途中を示した説明図である。
【図７】プレキャスト擁壁で構築したコンクリート擁壁を擁壁表面側から見た斜視図である。
【図８】プレキャスト擁壁で構築したコンクリート擁壁を盛土側から見た斜視図である。
【図９】異なるプレキャスト擁壁で構築したコンクリート擁壁を盛土側から見た斜視図である。
【図１０】異なるプレキャスト擁壁で構築したコンクリート擁壁を擁壁表面側から見た斜視図である。
【発明を実施するための形態】
【００２０】
本発明に係る緑化擁壁の施工方法は、植栽孔３１を有するコンクリート擁壁１０を構築する工程と、コンクリート擁壁１０の植栽孔３１へ盛土側Ｂから外向きに緑化植物４を挿入して根部を擁壁１０へ定着させる植栽工程と、植栽工程を終了した高さまで盛土２を進める工程とから成る。
【実施例１】
【００２１】
以下に、本発明に係る緑化擁壁の施工方法を図示した実施例に基づいて説明する。
図１は、緑化擁壁１の路肩に沿って垂直姿勢に構築されたコンクリート擁壁１０へ樹木や草花類等の緑化植物４を挿入して植栽工程を行い、前記コンクリート擁壁１０の盛土側Ｂへ盛土２を行って形成された緑化擁壁１の斜視図を示している。なお、図１以下に記載した実施例は、植栽孔３１を有するプレキャスト壁面材３を積み重ねてコンクリート擁壁１０を構築する場合について示しているが、もとより植栽孔３１を有する現場打ちコンクリートによりコンクリート擁壁１０を構築して緑化する方法、或いは擁壁として必要な高さを有し且つ植栽孔３１を有するプレキャスト擁壁（９、９’、９’’）によりコンクリート擁壁１０を構築して緑化する方法も同様な要領で実施できるが、この点は後述する。
図示した実施例の緑化擁壁１の施工方法の手順は、擁壁の中でも補強土壁の分類に属し、先ず、図２に示すように、コンクリート擁壁１０の施工線に沿って地盤１３の長手方向へ砕石１１による地固めを行い、その上へ基礎コンクリート１２を施工し、該基礎コンクリート１２の上面へ複数枚のプレキャスト壁面材３…を、例えばクレーン等を用いて縦横方向へ順次積み重ねて、一例として高さに２０ｍ程度のコンクリート擁壁１０を構築する。なお、本実施例では、プレキャスト壁面材３を垂直姿勢に積み重ねた構成を示しているが、例えば垂直方向に対して若干斜めに積み重ねた法勾配を設けた構成で実施することも行われる。
【００２２】
上記プレキャスト壁面材３の形状及び大きさは、図２に盛土側Ｂを示し、図３（ａ）に擁壁表面側Ａを示したように、縦横の寸法が例えば約１５０ｃｍ×１５０ｃｍ程度、厚さが約１４０ｍｍ程度の大きさであり、左右の縦辺の中央部に矩形状に突き出す接合片３０、３０を有している。この接合片３０の上面及び下面には、図２に示すように、積み重ねた隣接するプレキャスト壁面材３の接合片３０がそれぞれ相互に噛み合うように連結棒３３と同連結棒３３を嵌め込む連結孔３４が形成されている。
そして、図３（ｂ）に示すように、例えば円形状の植栽孔３１…が擁壁表面側Ａから盛土側Ｂへ向かい、例えば４５度程度斜め下方へ貫通させて設けられている。植栽孔３１の傾斜面を利用して緑化植物４の植栽を容易なものとし、擁壁表面側Ａから見た緑化植物４の見栄えを良くするためである。
前記植栽孔３１は、図示した実施例の場合、プレキャスト壁面材３の上下左右の配置に合計４つ設けられており、その寸法は、一例として直径が２０ｃｍ程度である。但し、前記植栽孔３１の大きさ、形状及び個数は、図示した実施例に限定されず、プレキャスト壁面材３の大きさや、緑化植物４の大きさ等に応じて適宜設計変更が可能である。
なお、前記プレキャスト壁面材３は、図示した形状に限定されない。具体的に図示することは省略したが、例えば凹凸形状や矩形形状で構成されたプレキャスト壁面材でも同様に実施することができ、縦横の寸法や厚さもクレーンが許容する重量範囲内で自在に組み合わせて実施することができる。
【００２３】
上記プレキャスト壁面材３の擁壁表面には、図３（ａ）に示すように、緑化植物４の育成に必要な雨水３２ａを植栽孔３１へ誘導する導水溝３２が、前記植栽孔３１を中心として擁壁表面側Ａから見てＶ字形状に形成されている。前記導水溝３２の断面形状は、図３（ｂ）に示すように、雨水３２ａが導水溝３２内へ進入し易くするため、垂直面から導水溝３２方向へ向って湾曲面を成すように工夫されている。但し、前記導水溝３２の断面形状は、例えば図４（ａ）に示すような矩形状で実施することもできる。また、図４（ｂ）に示すように、前記導水溝３２に代えて、上記プレキャスト壁面材３の擁壁表面に、緑化植物４の育成を必要な雨水３２ａを植栽孔３１へ誘導する導水突起部３６を前記植栽孔３１を中心として擁壁表面側Ａから見てＶ字状に設けた構成で実施することもできる。
なお、前記導水溝３２は、雨水３２ａを植栽孔３１へ誘導できる形状であればよく、図３（ａ）に示した擁壁表面側Ａから見た形状がＶ字であることや、図３（ａ）及び図４（ａ）、（ｂ）に示す断面形状に限定されない。
【００２４】
前記プレキャスト壁面材３の盛土側Ｂには、図３（ｂ）に示すように、後述する植栽工程において不織布６を引っ掛けて固定するための不織布用巻線６０が設けられている。
また、プレキャスト壁面材３の盛土側Ｂに、植栽孔３１を跨ぐ配置で同植栽孔３１へ盛土側Ｂから挿入した緑化植物４の植生土４１を盛土側Ｂで仮保持する植生土用巻線４２が設けられている。但し、後述の不織布６で十分に仮保持が可能な場合は、植生土用巻線４２を設けることなく実施することもできる。
更に、同プレキャスト壁面材３の盛土側Ｂには、図２に示すように、連結金具５０が、その先端部を盛土側Ｂへ突き出る配置で埋め込まれている。盛土２へ設置する補強材５は、一端を前記連結金具５０へボルトで連結して盛土側Ｂへ水平に長く形成される。なお、補強材５は、帯状や面状に配置し、その材質は鋼材や高分子材からなり、盛土２との摩擦抵抗力や支圧抵抗力によってコンクリート擁壁１０を自立させている。
【００２５】
上記構成から成るプレキャスト壁面材３は、図２に示すように、左右の接合片３０、３０に設けられた凹凸部を相互に嵌め合わせて縦・横方向へ順次に積み重ねて構築される。前記プレキャスト壁面材３の上面には、調整部材３５が取り付けられ、該調整部材３５の上面に直上のプレキャスト壁面材３の下面が設置される。なお、図示することは省略したが、前記プレキャスト壁面材３を積み重ねる際に、最下端部に位置するプレキャスト壁面材３の水平間隔を保持するため、同プレキャスト壁面材３を両側から挟む間隔定規が用いられる。
なお、図１及び２に示した実施例の場合では、基礎コンクリート１２の上面に設置するプレキャスト壁面材３の形状や、コンクリート擁壁１０の上端部に位置するプレキャスト壁面材３は、コンクリート擁壁１０の縁部が水平になるように、擁壁表面側Ａから見て凸形状に構成されたものを使用している。
【００２６】
次に、作業員が植栽工程を行うことができる高さにまでプレキャスト壁面材３を積み重ねてコンクリート擁壁１０を構築した後、図５（ａ）〜（ｄ）に示す手順に従い、同プレキャスト壁面材３に設けられた植栽孔３１へ、緑化植物４を挿入して根部をコンクリート擁壁１０へ定着させる植栽工程を行う。
前記植栽工程は、先ず、図５（ａ）に示すように、コンクリート擁壁１０の盛土側Ｂから外向きに緑化植物４を挿入する作業から始める。
図５（ｂ）に示すように、前記緑化植物４の植物部分は、コンクリート擁壁１０の擁壁表面側Ａへ露出させ、同緑化植物４の根部を形成する植生土４１は、プレキャスト壁面材３に設けられた植生土用巻線４２で押さえた状態で、コンクリート釘又はガムテープ等で下部を固定した不織布６で仮保持させる。このとき、植栽孔３１と植生土４１との間に作業者の手が入いる隙間を確保して、植生土４１の表面を押さえる。
次に、図５（ｃ）に示すように、不織布６で植生土４１を覆い、同不織布６で前記植生土４１をしっかと押さえていることを確認したら、同不織布６の上部をプレキャスト壁面材３に設けられた不織布用巻線６０へ引っ掛けて固定させる。
最後に、図５（ｄ）に示すように、保水性のフェルト材７で前記不織布６を覆って、同フェルト材７をコンクリート釘やガムテープ等で固定する。
【００２７】
上記植栽工程を行った後、盛土２を行い所定の高さで、図２に示すように、コンクリート擁壁１０の盛土側Ｂに設けられた連結金具５０へ補強材５をボルトで連結する。但し、前記補強材５は、植栽工程を行う前に組み立てても良い。
次に、図５（ｄ）に示すように、コンクリート擁壁１０の盛土側Ｂにおいて、盛土２を行い所定の高さで、雨水を植栽孔３１へ誘導するドレーン材８を各植栽孔３１へ設置する。前記ドレーン材８から誘導された雨水は、緑化植物４のフェルト材７へ到達して、同緑化植物４の育成を補助することができる。
そして、図６に示すように、前記ドレーン材８の設置後、植栽工程を終了した高さを目安として盛土２を一定の高さまで進める工程を行う。
上記工程をすべて終了した後、図６に示すように、再び、上記途中まで積み重ねたプレキャスト壁面材３の上面へ新たなプレキャスト壁面材３を積み重ねてコンクリート擁壁１０を構築して行き、既設の盛土２上面を足場代用として上述した植栽工程を行い、補強材５及びドレーン材８を設置した後、前記植栽工程を終了した高さを目安として盛土２を一定の高さまで進める工程を繰り返し、最終的に図１に示すような、緑化擁壁１を構築する。
【００２８】
したがって、本発明に係る緑化擁壁の施工方法は、コンクリート擁壁１０の植栽孔３１へ内側から外向きに緑化植物４を挿入して根部を前記コンクリート擁壁１０の盛土側Ｂへしっかりと定着させる植栽工程を行い、植栽工程を終了した高さを目安として盛土２を一定の高さまで進める工程を繰り返して緑化擁壁１を構築するので、作業員は前記緑化植物４の根部をしっかりと確認しながら植栽工程を進めることができ、前記根部を十分に確実に活着処理を施して同緑化植物４の育成に必要十分な条件を整えることができ、緑化植物４の育成を良好にすることができる。また、盛土２中にドレーン材８を設置することにより、土中水を植生土４１へ供給し、さらにコンクリート擁壁１０の表面に設けた導水溝３２により、雨水３２ａを植栽孔３１へ供給し、緑化植物４の育成を良好にすることができる。
しかも、コンクリート擁壁１０の高所における緑化植物４の植栽工程は、既設の盛土２上面を足場代用として行えるので、植栽工程に必要な作業用足場を用意する必要がなく、仮設足場を省けて、経済的に短工期に施工することができる。
【００２９】
なお、詳細に図示することは省略したが、上記コンクリート擁壁１０は、植栽孔３１を有するプレキャスト壁面材３と植栽孔の無いプレキャスト壁面材とを擁壁位置に沿って組み合わせ積み重ねて構築した構成で実施することもできる。
例えば、植栽孔３１を有するプレキャスト壁面材３と、植栽孔の無いプレキャスト壁面材とを交互に配置したり、或いは部分的に植栽孔３１を有するプレキャスト壁面材３を配置させて、緑化擁壁１の模様を自在に設計することができる。
【実施例２】
【００３０】
実施例２の緑化擁壁の構築方法は、詳細に図示することは省略したが、上記植栽孔３１を有するコンクリート擁壁１０として、擁壁位置に沿って内部に鉄筋を配置した型枠を設置し、該型枠内へ場所打ちコンクリートを打設して構築する構成で実施する。但し、前記鉄筋を設けることなくコンクリート擁壁１０を構築することもできる。
実施例２の緑化擁壁の構築方法は、前記コンクリート擁壁１０の構築を段階的に進めながら、上記実施例１で説明した手順で植栽工程及び盛土２を進める工程を繰り返して緑化擁壁１を構築する。
但し、前記植栽工程及び盛土２を進める工程を行う前に、先ずコンクリート擁壁１０を盛土２の全高まで構築した後に、植栽工程と盛土２を進める工程を繰り返して緑化擁壁１を構築する構成で実施することもできる。
なお、上記実施例１で説明した盛土２へ設置する補強材５と連結する連結金具５０については、現場打ちコンクリートを打設する際に埋め込んでおく。
【実施例３】
【００３１】
実施例３の緑化擁壁の構築方法は、先ず、植栽孔３１を有するプレキャスト壁面材３の前記植栽孔３１へ盛土側Ｂから外向きに緑化植物４を挿入して根部を定着させる植栽工程を行うことから始める。その後、前記緑化植物４を植栽したプレキャスト壁面材３をコンクリート擁壁１０に沿って、例えばクレーン等を使用して積み重ねて一定高さのコンクリート擁壁１０を構築する工程を行い、盛土２を行って所定の高さで上述した補強材５及びドレーン材８を設置した後、前記植栽工程を終了した高さを目安として盛土２を一定の高さまで進める工程を行い、前記工程を繰り返して緑化擁壁１を構築する。
但し、前記緑化植物４を植栽したプレキャスト壁面材３を積み重ねてコンクリート擁壁１０の全高を構築した後に、盛土２を最終高さまで進める構成で実施することもできる。
【実施例４】
【００３２】
図７〜図１０に示す実施例４の緑化擁壁の構築方法は、壁面に植栽孔３１を有するプレキャスト擁壁９（９’、９’’）を、擁壁位置に沿って複数個並べて設置してコンクリート擁壁１０を構築した実施例を示している。
図７に示すコンクリート擁壁１０は、いわゆる片持ちばり式擁壁９で構成されており、擁壁位置に沿って複数個並べ、図８に示すように、盛土側Ｂにおいて隣接する側部同士を継手金具９ａにより連結して構築する。
図示した片持ちばり式擁壁９は、コンクリート壁面９０と底板９１とでＬ字形状に構成されており、コンクリート壁面９０の高さが３ｍ程度、底板９１の長さが２ｍ程度、壁面厚さが約１００ｍｍ程度である。
【００３３】
上記コンクリート擁壁１０を構築した後は、上述したように、図５（ａ）〜（ｄ）に示す手順に従い、同コンクリート擁壁１０に設けられた植栽孔３１へ、緑化植物４を挿入して根部を定着させる植栽工程と、前記植栽工程を終了した高さまで盛土２を進める工程とを繰り返し行う。
なお、実施例４の緑化擁壁の構築方法では、上記底板９１が盛土２へ設置する補強材としての役割を果たす。
また、図示することは省略したが、コンクリート擁壁１０の盛土側Ｂにおいて、雨水を植栽孔３１へ誘導するドレーン材８を各植栽孔３１へ設置する。
【００３４】
図９に示すコンクリート擁壁１０は、上記片持ちばり式擁壁９と同一の形状及び大きさを成し、盛土側Ｂにはコンクリート壁面９０と底板９１を補強する控え壁９２を備えたいわゆる控え壁式擁壁９’で構成した実施例を示している。この控え壁式擁壁９’も、図７に示す片持ちばり式擁壁９と同様、擁壁位置に沿って複数個並べて継手金具９ａにより連結してコンクリート擁壁１を構築する。
図１０に示すコンクリート擁壁１０は、断面形状がＵ字形を成すいわゆるＵ型擁壁９’’で構成されている。この実施例は、例えば図７及び８に示すＬ形のプレキャスト擁壁９と平板プレキャストを組み合わせて所要の道路幅を構成した例を示す。前記Ｕ字の幅は２０ｍ程度であり、自動車や歩行者の通り道として利用される。このＵ型擁壁９’’も、上記擁壁位置に沿って構築されている。
【００３５】
以上に本発明を図示した実施例に基づいて説明したが、もとより本発明は実施例の構成に限定されるものではない。いわゆる当業者が必要に応じて行うであろう設計変更その他の応用、改変の範囲まで含むことを念のため申し添える。
【符号の説明】
【００３６】
１        緑化擁壁
１０      コンクリート擁壁
１１      砕石
１２      基礎コンクリート
２        盛土
３        プレキャスト壁面材
３１      植栽孔
３２      導水溝
３６      導水突起部
４        緑化植物
４１      植生土
４２      植生土用巻線
５        補強材
５０      連結金具
６        不織布
６０      不織布用巻線
７        フェルト材
８        ドレーン材
９、９’、９’’  プレキャスト擁壁
９０      コンクリート壁面
９１      底板
９２      控え壁
Ａ        擁壁表面側
Ｂ        盛土側
【図１】
0005695452.tif 000002
【図２】
0005695452.tif 000003
【図３】
0005695452.tif 000004
【図４】
0005695452.tif 000005
【図５】
0005695452.tif 000006
【図６】
0005695452.tif 000007
【図７】
0005695452.tif 000008
【図８】
0005695452.tif 000009
【図９】
0005695452.tif 000010
【図１０】
0005695452.tif 000011